(57)【特許請求の範囲】
【請求項１】
長方形の遮光性のシート材の両側端に沿って一定間隔に複数の支持片を構成し、この支持片に紐を取付ける一方、前記シート材の表面で前記紐に対応する位置に、紐を結ぶための孔を構成した締結部を構成し、前記それぞれの紐を対応する締結部に締結することで前記シート材を筒状に構成し内部につる植物を保持できる空間を有する支柱を構成し、前記支柱の先端を緑化対象地点に開口して内部のつる植物を緑化対象地点に誘引するつる植物誘引支柱。
【発明の詳細な説明】
【技術分野】
【０００１】
本発明はつる植物を目的の緑化地点まで誘引するための支柱に関するものである。
【背景技術】
【０００２】
従来より、のり面を緑化しようとする場合、有機物からなる緑化基盤材をのり面に客土して植物を根付けて緑化する方法が一般的である（特許文献１参照）。
この方法でのり面の緑化をした場合、のり面の土の状態が悪くて緑化基盤材を客土しても植物が育たないと判断された場合、やむなく例えば特許文献２に記載された発明のように基盤材に固化材を吹き付けてのり面を保護する方法が取られる。
また、民家の庭などでつる植物を植栽する場合、隣接する他人の家まで植物が伸びてしまい管理するのが大変であった。
【特許文献１】特開２００５−１６２３７
【特許文献２】特開２００２−１０５９６３
【０００３】
上記の従来例によれば、複数段からなるのり面の場合、路面と接している１段目がコンクリート面、あるいは表面に固化材を吹き付けてもつる植物が育たない岩盤面の場合は、路肩に植樹枡を作りつる植物をのり面に誘引して緑化することができる。
しかし、コンクリート面や岩盤が２段目や３段目等にある場面は、１段目ののり面下部に植樹枡を作りそこにつる植物を植えて２段目や３段目を緑化しようとするが、この方法では、つる植物がすでに１段目に植栽されている植物に絡みつき緑化対象場所の２段目や３段目に届くのに時間がかかる上に、十分な量のつる植物が目的地まで到達しないという問題点があった。
【発明の開示】
【発明が解決しようとする課題】
【０００４】
本発明はこのような問題点を解決するためになされたもので、のり面あるいは建物の壁などに沿って用いられ、つる植物を目的の緑化場所まで容易、確実に誘引して、緑化場所の完全な緑化を実現させるための支柱を提供することを目的とする。
【課題を解決するための手段】
【０００５】
本発明の要旨とするところは、長方形の遮光性のシート材の両側端に沿って一定間隔に複数の支持片を構成し、この支持片に紐を取付ける一方、前記シート材の表面で前記紐に対応する位置に、紐を結ぶための孔を構成した締結部を構成し、前記それぞれの紐を対応する締結部に締結することで前記シート材を筒状に構成し内部につる植物を保持できる空間を有する支柱を構成し、前記支柱の先端を緑化対象地点に開口して内部のつる植物を緑化対象地点に誘引するつる植物誘引支柱である。
【発明の効果】
【０００７】
筒状の支柱を使用することにより、つる植物を緑化対象地点に効果的に誘引できる。また支柱を遮光性シートを使用して構成することにより、支柱の中で枝や葉の成長を抑制し、つる植物は支柱内をスムーズに伸びていくことができ緑化対象地点で自由に成長することができる。
【発明を実施するための最良の形態】
【０００９】
本発明の最良の実施形態は、長方形の遮光性のシート材の両側端に沿って一定間隔に複数の支持片を構成し、この支持片に紐を取付ける。一方、前記シート材の表面で前記紐に対応する位置に、紐を結ぶための孔を構成した締結部を構成する。
そして、前記それぞれの紐を対応する締結部に締結することで前記シート材を筒状に構成し内部につる植物を保持できる空間を有する支柱を構成する。
そして、この支柱の先端を目的の緑化対象地点で開口することでつる植物を緑化目的地まで誘引できるようにしたつる植物誘引支柱である。
【００１０】
本発明の実施形態を図面に基づいて説明する。図１は第１実施形態の正面図、図２は同平面図、図３は同使用状態を示す正面図、図４は同緑化工事での使用状態を示す正面模式図、図５は同緑化工事での使用状態を示す側面模式図、図６は第２実施形態の使用説明図、図７は図６のＡ−Ａ線断面拡大図及び図８は第２実施形態の使用説明図である。
【００１１】
第１実施形態の支柱１は長方形の遮光性のシート１０からなる。このシート１０の一側端１１に一定間隔に複数の支持片２２を固定し、この支持片２２に設けた孔に紐２１を取り付ける。
そして、前記紐２１に対応したシート１０の表面で、シート１０を巻いたときに所定の直径が得られる位置に複数の締結部２４を固定する。この締結部２４には紐２１を締結するための孔２３を穿設してある。前記紐２１、支持片２２、孔２３と締結部２４で締結手段を構成する。
【００１２】
一方、シート１０の他側端１２に沿って、前記と同様に、一定間隔に複数の支持片３２を固定し、この支持片３２に設けた孔に紐３１を取り付ける。
そして、前記紐３１に対応したシート１０の表面で、シート１０を巻いたときに所定の直径が得られる位置に複数の締結部３４を固定する。この締結部３４には紐３１を締結するための孔３３を穿設してなる。前記紐３１、支持片３２、孔３３と締結部３４で締結手段を構成する。
【００１３】
前記のように構成した本実施形態の作用を説明する。
まず各紐２１をそれぞれ対応する締結部２４の孔２３に通して結び、同様に各紐３１をそれぞれの締結部３４の孔３３に通して結び、シート１０を筒状にして支柱１を作成する。
そして図３に示すように、前記支柱１を植木鉢３の上部に柱体４，４で立設し、支柱１の内部につる植物２を通すのである。
【００１４】
その後、図４のように植木鉢３を緑化地点に運び備え付ける。本実施形態では、つる植物２を植え付けるのり面４０の１段目４１の高さが５ｍであるため、つる植物２の長さは６ｍ、支柱１は５．５ｍ程度の長さとしている。
【００１５】
この状態でつる植物２はその成長過程で、支柱１によってのり面４０の１段目４１に植栽された草や木に絡みつくことが防止される。そして支柱１によって目的の緑化対象物である２段目４２まで誘引されて、支柱１の先端開口から出て緑化対象地点であるコンクリート面で自由に成長できるのである。
【００１６】
前記支柱１は、遮光性材質を使用することにより、つる植物２の光合成を避け、支柱１の中での枝や葉の成長を抑制することができる。そのため、つる植物２が緑化対象地点の２段目４２に至るまで、支柱１内で枝葉が伸びすぎることがない。
【００１７】
上記のように構成し作用する本実施形態では、次のような効果を有する。
筒状の支柱１を使用することにより、つる植物２をのり面の１段目４１に植栽された草や木に絡みつかせず、目的の緑化対象地点である２段目４２に効果的に誘引できる。
また支柱１を遮光性シート１０によって構成してあるため、支柱１の中で枝や葉の成長が抑制され、つる植物２は支柱１内をスムーズに伸びていくことができる。そして、支柱１の先端開口から出てきたつる植物２は緑化対象地点で自由に成長することができる。
【００１８】
本発明の第２実施形態を図６乃至図８に基づいて説明する。
本実施形態は、家屋の壁あるいは塀などに表面に沿って支柱を配置し、支柱の先端の開口までつる植物を誘導するものである。
【００１９】
図に示すように支柱５１は長尺の筒状であり、断面半円形状の半筒５２、５３を合わせて、その両端を止金５４，５４で固定してなるものであり、材質はプラスチック、金属等の遮光性材料である。
【００２０】
この支柱５１は壁や塀等の構造物６０の形状に沿って曲折して配置される。これは支柱５１の使用目的が、隣家が近すぎた場合につる植物２を植えた場合、隣家まで伸びて迷惑がかかるのを防止するためである。
すなわち、つる植物２を支柱５１の中を通して成長させることにより、目的の場所だけ緑化することが出来る。例えば、植付けた場所の地面から緑化しようとする窓やその周辺まで緑化植物を筒状の支柱を通すことにより、植付けた地面から窓までの間につる植物の枝葉ができることなく隣の家まで伸びるのを防止することができ、つる植物は支柱の先端から出て窓やその周辺で自由に伸びて緑化することができるのである。
【図面の簡単な説明】
【００２１】
【図１】第１実施形態の正面図
【図２】第１実施形態の平面図
【図３】第１実施形態の使用状態を示す正面図
【図４】第１実施形態緑化工事での使用状態を示す正面模式図
【図５】第１実施形態緑化工事での使用状態を示す側面模式図
【図６】第２実施形態の使用説明図
【図７】図６のＡ−Ａ線断面拡大図
【図８】第２実施形態の使用説明図
【符号の説明】
【００２２】
１    支柱
２    つる植物
３    植木鉢
１０  シート
２１  紐（締結手段）
２２  支持片（締結手段）
２３  孔（締結手段）
２４  締結部（締結手段）
３１  紐（締結手段）
３２  支持片（締結手段）
３３  孔（締結手段）
３４  締結部（締結手段）
４０  のり面
５１  支柱
６０  構造物
【図１】
0005138290.tif 000002
【図２】
0005138290.tif 000003
【図３】
0005138290.tif 000004
【図４】
0005138290.tif 000005
【図５】
0005138290.tif 000006
【図６】
0005138290.tif 000007
【図７】
0005138290.tif 000008
【図８】
0005138290.tif 000009